(57)【要約】【課題】表示制御装置、表示制御プログラム及び表示制御方法を提供する。【解決手段】タッチパネル部２を備える表示制御装置１００は、表示制御部４と、検出部２１とを備える。表示制御部４は、タッチパネル部２にスクロールバー２２２とスライダー２２１とを表示する。検出部２１は、スライダー２２１に対する拡縮動作を検出する。表示制御部４は、検出部２１の検出結果に基づいて、スライダー２２１のサイズを調整する。前記スクロールバー２２２と前記スライダー２２１とのうち前記スライダー２２１のみのサイズを調整する。【選択図】図３
2019160022.tif 000002
【特許請求の範囲】
【請求項１】
タッチパネル部を備える表示制御装置であって、
前記タッチパネル部にスクロールバーとスライダーとを表示する表示制御部と、
前記スライダーに対する拡縮動作を検出する検出部と
を備え、
前記表示制御部は、前記検出部の検出結果に基づいて、前記スクロールバーと前記スライダーとのうち前記スライダーのみのサイズを調整する、表示制御装置。
【請求項２】
前記表示制御部は、前記拡縮動作に基づいて、前記スライダーのサイズを特定のサイズに調整する、請求項１に記載の表示制御装置。
【請求項３】
前記表示制御部は、前記サイズが調整されたスライダーを、サイズを調整する前のスライダーのサイズに戻す、請求項１または請求項２に記載の表示制御装置。
【請求項４】
前記検出部は、前記スライダーを前記スクロールバーに沿って移動させるスクロール操作を検出し、
前記表示制御部は、前記検出部が前記スクロール操作を検出しない場合に、前記サイズが調整されたスライダーを、サイズを調整される前のスライダーのサイズに戻す、請求項１から請求項３のいずれか１項に記載の表示制御装置。
【請求項５】
前記表示制御部は、所定時間経過後に、前記サイズが調整されたスライダーを、サイズを調整される前のスライダーのサイズに戻す、請求項１から請求項３のいずれか１項に記載の表示制御装置。
【請求項６】
タッチパネル部がスクロールバーとスライダーとを表示するように、前記タッチパネル部を制御するステップと、
前記スライダーに対する拡縮動作を検出する検出ステップと、
前記検出ステップの検出結果に基づいて、前記スクロールバーと前記スライダーとのうち前記スライダーのみのサイズを調整する調整ステップと
をコンピューターに実行させる、表示制御プログラム。
【請求項７】
タッチパネル部を制御する表示制御装置の表示制御方法であって、
前記タッチパネル部にスクロールバーとスライダーとを表示させる表示ステップと、
前記スライダーに対する拡縮動作を検出する検出ステップと、
前記検出ステップの検出結果に基づいて、前記スクロールバーと前記スライダーとのうち前記スライダーのみのサイズを調整する調整ステップと
を含む、表示制御方法。
【発明の詳細な説明】
【技術分野】
【０００１】
本発明は、表示制御装置、表示制御プログラム及び表示制御方法に関する。
【背景技術】
【０００２】
従来、表示画面にスクロールバーとスライダーとが表示される画像編集装置が知られている。このような画像編集装置として、特許文献１に記載の画像編集装置は、表示装置と、画像データを記憶する記憶手段とを備える。画像編集装置は、画像データのプレビュー画像をスクロールするためのＵＩ部品であるスクロールバーを画面上に表示する。画面上に表示されたスクロールバーは、拡大スクロールバーに変化する。
【先行技術文献】
【特許文献】
【０００３】
【特許文献１】特開２０１２−６８８１６号公報
【発明の概要】
【発明が解決しようとする課題】
【０００４】
しかしながら、特許文献１に記載の画像編集装置では、表示画面に複数の画像が表示される場合、スクロールバーを拡大するための表示領域が確保できない。このため、スクロールバーを拡大できず、スクロール操作の利便性が充分でない。
【０００５】
本発明は上記課題に鑑みてなされたものであり、スクロール操作の利便性が向上する表示制御装置、表示制御プログラム及び表示制御方法を提供することを目的とする。
【課題を解決するための手段】
【０００６】
本発明に係るタッチパネル部を備える表示制御装置は、表示制御部と、検出部とを備える。前記表示制御部は、前記タッチパネル部にスクロールバーとスライダーとを表示する。前記検出部は、前記スライダーに対する拡縮動作を検出する。前記表示制御部は、前記検出部の検出結果に基づいて、前記スクロールバーと前記スライダーとのうち前記スライダーのみのサイズを調整する。
【０００７】
本発明に係る表示制御プログラムは、タッチパネル部を制御するステップと、検出ステップと、調整ステップとをコンピューターに実行させる。前記タッチパネル部を制御するステップは、前記タッチパネル部がスクロールバーとスライダーとを表示するように前記タッチパネル部を制御する。前記検出ステップは、前記スライダーに対する拡縮動作を検出する。前記調整ステップは、前記検出ステップの検出結果に基づいて、前記スクロールバーと前記スライダーとのうち前記スライダーのみのサイズを調整する。
【０００８】
本発明に係る表示制御装置の表示制御方法は、表示ステップと、検出ステップと、調整ステップとを含む。前記表示ステップは、タッチパネル部にスクロールバーとスライダーとを表示させる。前記検出ステップは、前記スライダーに対する拡縮動作を検出する。前記調整ステップは、前記検出ステップの検出結果に基づいて、前記スクロールバーと前記スライダーとのうち前記スライダーのみのサイズを調整する。
【発明の効果】
【０００９】
本発明によれば、スクロール操作の利便性が向上する。この結果、ユーザーの利便性を向上できる。
【図面の簡単な説明】
【００１０】
【図１】本発明の実施形態に係る表示制御装置を示す図である。
【図２】表示部の画面に表示された文書選択画面を示す図である。
【図３】スライダーのサイズを調整した図である。
【図４】サイズを調整したスライダーをスクロールバーの上端側から下端側に移動させた図である。
【図５】サイズを調整したスライダーが元のスライダーのサイズになった状態を示す図である。
【図６】表示制御部がスライダーのサイズを調整する処理を示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１を参照して本発明の実施形態に係る表示制御装置１００を説明する。図１は、本発明の実施形態に係る表示制御装置１００を示す図である。
【００１３】
表示制御装置１００は、例えば、スマートフォンまたはパソコンの一部として用いられる。表示制御装置１００は、タッチパネル部２と、記憶部３と、表示制御部４とを備える。図１に示すＹ軸は、タッチパネル部２の長辺と平行である。Ｙ軸は、左右方向を示す。Ｘ軸は、タッチパネル部２の短辺と平行である。Ｘ軸は、上下方向を示す。
【００１４】
タッチパネル部２は、ユーザーからの操作を受け付ける。また、タッチパネル部２は、画像を表示する。タッチパネル部２は矩形状である。タッチパネル部２は、検出部２１と、表示部２２とを含む。
【００１５】
検出部２１はユーザーの操作を検出する。例えば、ユーザーは指で検出部２１を操作する。検出部２１は、ユーザーの指が接触している位置を検出する。検出部２１は、矩形状である。検出部２１は、表示部２２に重なるように配置される。なお、検出部２１は透明である。
【００１６】
表示部２２は画像を表示する。表示部２２は、画面を含む。表示部２２は画面に任意の画像を表示する。表示部２２は、液晶表示装置であってもよく、有機ＥＬ表示装置であってもよい。ユーザーは、検出部２１を介して表示部２２の画面に表示された画像を視認できる。
【００１７】
記憶部３は、制御プログラムと、画像とを記憶する。制御プログラムは、例えば、表示制御部４の動作を制御するプログラムを含む。
【００１８】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００１９】
表示制御部４は、制御プログラムを実行することにより、表示制御装置１００の動作を制御する。表示制御部４は、ＣＰＵ（Ｃｅｎｔｒａｌ  Ｐｒｏｃｅｓｓｉｎｇ  Ｕｎｉｔ）のようなプロセッサーによって構成される。表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２０】
表示制御部４は、タッチパネル部２と、記憶部３とにそれぞれ接続される。表示制御部４は、タッチパネル部２と、記憶部３とを制御する。例えば、表示制御部４はタッチパネル部２の表示部２２を制御する。例えば、表示制御部４は、検出部２１の検出結果に基づいて表示部２２の表示する画像を変更する。
【００２１】
次に、検出部２１の詳細を説明する。検出部２１は、接触している指の数を検出する。また、検出部２１は、ユーザーの指が検出部２１と接触した状態で検出部２１の上を移動する擦動を検出する。
【００２２】
ユーザーが単数の指で検出部２１に接触した場合、検出部２１は、単数の指が接触している位置を検出する。例えば、１本の指で検出部２１を操作する。検出部２１は、１本の指が接触している１つの位置を検出する。１本の指で検出部２１に接触する操作は、タッチ操作の例に相当する。
【００２３】
ユーザーが複数の指で検出部２１に接触した場合、検出部２１は、複数の指の各々が接触している位置を検出する。例えば、２本の指で検出部２１を操作する。検出部２１は、２本の指が接触している２つの位置を検出する。
【００２４】
また、検出部２１は、１本の指の擦動と２本の指の擦動とを検出する。１本の指の擦動は、表示部２２に表示された画像を操作する。１本の指の擦動は、表示部２２に表示された画像に対して行う。１本の指の擦動は、例えば、表示部２２に表示された画像を移動させる。表示された画像を移動させる動作は、スクロール操作の例に相当する。
【００２５】
２本の指の擦動は、表示部２２に表示された画像を操作する。２本の指の擦動は、表示部２２に表示された画像に対して行う。２本の指の擦動は、ピンチアウト操作とピンチイン操作とを含む。ピンチアウト操作とピンチイン操作とは、拡縮動作の例に相当する。ピンチアウト操作は、表示部２２に表示された画像を拡大する。具体的には、指と指とが離れる方向に検出部２１を擦動する。ピンチイン操作は、表示部２２に表示された画像を縮小する。
【００２６】
図２を参照して、文書選択画面を説明する。図２は、表示部２２の画面に表示された文書選択画面を示す図である。表示制御部４は、表示部２２が文書選択画面を表示するように表示部２２を制御する。文書選択画面には、複数の画像データが表示される。具体的には、文書選択画面には、フォルダー画像２３０と、文書画像２４０と、スライダー２２１と、スクロールバー２２２とが表示される。
【００２７】
表示制御部４は、表示部２２が文書選択画面にフォルダー画像２３０を表示するように表示部２２を制御する。フォルダー画像２３０は、ユーザーによって選択されたフォルダーの名前と、文書画像２４０の番号２３１と、フォルダーに収容された文書画像２４０の総数２３２とを含む。文書画像２４０の番号２３１は、スライダー２２１の位置に応じて変更される。文書画像２４０の総数２３２は、フォルダーに収容された文書画像２４０の数に応じて変更される。
【００２８】
表示制御部４は、表示部２２が文書選択画面に文書画像２４０を表示するように表示部２２を制御する。具体的には、表示制御部４は、表示部２２が文書選択画面に文書画像２４０を４つ表示するように表示部２２を制御する。さらに具体的には、表示制御部４は、表示部２２が文書選択画面に文書１と、文書２と、文書３と、文書４とを表示するように表示部２２を制御する。文書画像２４０は、文書１〜文書４８を含む。
【００２９】
また、表示制御部４は、文書画像２４０を選択できるように文書選択画面に文書画像２４０を表示する。例えば、表示制御部４によって、文書１と、文書２と、文書３と、文書４とが選択可能に文書選択画面に表示される。文書３を選択する場合、文書選択画面全体のうち文書３の画像を表示している部分をタッチする。検出部２１は、文書３の画像に対するタッチ操作を検出する。表示制御部４は、検出部２１の検出結果に基づいて、表示部２２が文書３の内容を表示するように表示部２２を制御する。この結果、ユーザーは、文書選択画面に表示された文書画像２４０を選択でき、文書画像２４０の内容を確認できる。
【００３０】
表示制御部４は、表示部２２が文書選択画面にスライダー２２１とスクロールバー２２２とを表示するように表示部２２を制御する。また、表示制御部４は、スライダー２２１をスクロール操作ができるように文書選択画面に表示する。表示制御部４は、スライダー２２１を、矩形状のスクロールバー２２２の内部に表示する。
【００３１】
スライダー２２１は、スクロールバー２２２の内部をＸ軸方向に移動する。スライダー２２１をＸ軸方向に移動させることで、文書選択画面をＸ軸方向にスクロール操作できる。また、スクロールバー２２２がＹ軸方向に表示される場合、スライダー２２１は、スクロールバー２２２の内部をＹ軸方向に移動する。スライダー２２１をＹ軸方向に移動させることで、文書選択画面をＹ軸方向にスクロール操作できる。
【００３２】
表示制御部４は、表示部２２がスライダー２２１の位置に対応する文書画像２４０を文書選択画面に表示するように表示部２２を制御する。この結果、スライダー２２１のスクロール操作によって、ユーザーの望む文書画像２４０を探すことが可能となる。
【００３３】
また、スライダー２２１をスクロール操作した場合、表示制御部４は、表示部２２がスライダー２２１の位置に対応する文書画像２４０を文書選択画面に４つ表示するように表示部２２を制御する。例えば、文書選択画面に文書１と、文書２と、文書３と、文書４とが表示されている状態で、スライダー２２１をスクロール操作する。表示制御部４は、スクロール操作後のスライダー２２１の位置に対応する文書画像２４０を文書選択画面に４つ表示するように表示部２２を制御する。スライダー２２１の位置に対応する文書画像２４０は、例えば、文書５と、文書６と、文書７と、文書８とである。また、表示制御部４は、文書１〜文書８までの文書画像２４０が遷移する様子を表示するように表示部２２を制御してもよい。
【００３４】
また、スライダー２２１がスクロールバー２２２の上方端側に表示される場合、表示制御部４は、文書１と、文書２と、文書３と、文書４とを文書選択画面に表示するように表示部２２を制御する。また、スライダー２２１がスクロールバー２２２の下方端側に表示される場合、表示制御部４は、文書４５と、文書４６と、文書４７と、文書４８とを文書選択画面に表示するように表示部２２を制御する。スライダー２２１は、文書１〜文書４８までをスクロール操作できる。
【００３５】
また、表示制御部４は、文書画像２４０の総数２３２に基づいてスライダー２２１のサイズを変更する。具体的には、スライダー２２１は、スクロールバー２２２の長手方向に縮小される。例えば、文書画像２４０の総数２３２が４８個の場合のスライダー２２１のサイズは、文書画像２４０の総数２３２が４個の場合のスライダー２２１のサイズに比べて、１／１２のサイズで表示される。つまり、文書画像２４０の総数２３２が多いと、スライダー２２１のサイズは縮小される。
【００３６】
図２及び図３を参照して、表示制御部４が、検出部２１の検出結果に基づいて、スライダー２２１とスクロールバー２２２とのうちスライダー２２１のみのサイズを調整する場合を説明する。図３は、図２に示すスライダー２２１のサイズを調整した図である。図３に示すスライダー２２１のサイズは、図２に示すスライダー２２１のサイズに比べて、大きい。
【００３７】
表示制御部４は、スライダー２２１のサイズを調整する。具体的には、表示制御部４は、スライダー２２１に対するピンチアウト操作、またはピンチイン操作を検出部２１が検出した場合に、スライダー２２１のみのサイズを調整する。具体的には、スライダー２２１は、スクロールバー２２２の長手方向に拡大または縮小される。
【００３８】
スライダー２２１を拡大する場合、スライダー２２１に対してピンチアウト操作を行う。具体的には、表示部２２に表示されたスライダー２２１の近傍を２本の指でタッチする。そして、指と指とが離れる方向に検出部２１を擦動する。検出部２１は、ピンチアウト操作を検出する。表示制御部４は、検出部２１の検出結果に基づいて、スライダー２２１を拡大する。この結果、スライダー２２１は、スクロールバー２２２の長手方向に拡大される。スクロールバー２２２の内部に表示されたスライダー２２１のみが拡大されるため、表示部２２の表示領域の不足を抑制できる。この結果、スクロール操作が容易となり、ユーザーの利便性が向上する。
【００３９】
なお、スライダー２２１は、スクロールバー２２２の長手方向と短手方向とに拡大されてもよい。この場合、スライダー２２１の長手方向の拡大比率は、短手方向の拡大比率に比べて大きい。
【００４０】
スライダー２２１を縮小する場合、スライダー２２１に対してピンチイン操作を行う。具体的には、表示部２２に表示されたスライダー２２１の近傍を２本の指でタッチする。そして、指と指とが近づく方向に検出部２１を擦動する。検出部２１は、ピンチイン操作を検出する。表示制御部４は、検出部２１の検出結果に基づいて、スライダー２２１を縮小する。この結果、スライダー２２１は、スクロールバー２２２の長手方向に縮小する。
【００４１】
なお、２本の指がスライダー２２１に接触したことを検出部２１が検出した場合に、表示制御部４は、スライダー２２１を拡大または縮小してもよい。また、２本の指のうちの１本の指がスライダー２２１に接触したことを検出部２１が検出した場合に、表示制御部４は、スライダー２２１を拡大または縮小してもよい。表示制御部４は、ユーザーがスライダー２２１の拡縮を希望するのか、他の画像の拡縮を希望するのかを判定できる。この結果、ユーザーの利便性が向上する。
【００４２】
なお、スライダー２２１のサイズは、特定のサイズに調整されてもよい。特定のサイズは、例えば、文書画像２４０の総数２３２に対応するサイズに変更されたスライダー２２１の４倍である。この結果、表示制御部４は、ピンチアウト操作に基づいて、表示部２２に表示されたスライダー２２１のサイズを定められたサイズに調整できる。特定のサイズは、４倍以外のサイズであってもよい。
【００４３】
また、スライダー２２１のサイズは、指の移動距離に基づいてスライダー２２１のサイズを調整してもよい。具体的には、指が検出部２１に接触した位置から指が移動した位置までの距離に基づいて、スライダー２２１のサイズを調整する。指の移動距離に基づいてスライダー２２１のサイズを調整するので、スライダー２２１をユーザーの望むサイズに調整できる。
【００４４】
図３及び図４を参照して、サイズを調整したスライダー２２１でスクロール操作した場合を説明する。図４は、図３に示すサイズを調整したスライダー２２１をスクロールバー２２２の上端側から下端側に移動させた図である。図３に示すように、スクロールバー２２２の上端側に拡大されたスライダー２２１が位置する場合、文書１〜文書４が文書選択画面に表示される。また、図４に示すように、スクロールバー２２２の下端側に拡大されたスライダー２２１が位置する場合、文書９〜文書１２が文書選択画面に表示される。拡大されたスライダー２２１は、文書１〜文書１２までをスクロール操作できる。
【００４５】
また、拡大されたスライダー２２１が、スクロール操作できる文書画像２４０の数は、スライダー２２１のサイズに基づいて決定される。
【００４６】
例えば、文書画像２４０の総数２３２が４８個であり、スライダー２２１のサイズを４倍に拡大した場合、スクロールバー２２２の上端から下端までの間でスクロール操作が可能な文書画像２４０の数は、文書画像２４０の総数２３２の１／４個となる。つまり、スクロールバー２２２の上端から下端までの間でスクロール操作が可能な文書画像２４０の数は１２個となる。したがって、表示制御部４は、文書選択画面に１２個の文書画像２４０を表示できる。
【００４７】
例えば、文書画像２４０の総数２３２が４８個であり、文書選択画面に文書１と、文書２と、文書３と、文書４とが表示されている状態でスライダー２２１を４倍に拡大した場合、スクロールバー２２２の上端から下端までの間でスクロール操作が可能な文書画像２４０は、文書１〜文書１２となる。したがって、表示制御部４は、文書選択画面に文書１〜文書１２を表示できる。
【００４８】
例えば、文書画像２４０の総数２３２が４８個であり、文書選択画面に文書９と、文書１０と、文書１１と、文書１２とが表示されている状態でスライダー２２１を４倍に拡大した場合、スクロールバー２２２の上端から下端までの間でスクロール操作が可能な文書画像２４０は、文書９〜文書２０となる。したがって、表示制御部４は、文書選択画面に文書９〜文書２０を表示できる。
【００４９】
図４及び図５を参照して、サイズが調整されたスライダー２２１を、サイズが調整される前のスライダー２２１のサイズに戻った場合を説明する。図５は、図４に示すサイズを調整したスライダー２２１が元のスライダー２２１のサイズとなった状態を示す図である。具体的には、スライダー２２１の拡大が解除されると、調整する前のスライダー２２１のサイズに戻る。
【００５０】
図５に示すように、拡大が解除されたスライダー２２１の位置は、文書９〜文書１２に対応する位置である。拡大が解除されたスライダー２２１は、文書１〜文書４８までをスクロール操作できる。
【００５１】
また、表示制御部４は、検出部２１がスクロール操作を検出しない場合に、サイズが調整されたスライダー２２１を、サイズが調整される前のスライダー２２１のサイズに戻す。例えば、ユーザーの指が検出部２１から離れた場合、検出部２１は、スクロール操作を検出しない。表示制御部４は、検出部２１の検出結果に基づいて、サイズが調整されたスライダー２２１を、サイズが調整される前のスライダー２２１のサイズに戻す。この結果、ユーザーは、スライダー２２１に対して再び拡縮動作をする必要がないため、ユーザーの利便性が向上する。
【００５２】
また、表示制御部４は、所定時間経過後にサイズが調整されたスライダー２２１を、サイズを調整される前のスライダー２２１のサイズに戻す。例えば、表示制御部４は、スライダー２２１のサイズを調整してから１０秒後に、サイズが調整されたスライダー２２１を、サイズが調整される前のスライダー２２１のサイズに戻す。この結果、ユーザーは、スライダー２２１に対して再び拡縮動作をする必要がないため、ユーザーの利便性が向上する。
【００５３】
図６を参照して、表示制御部４が、スライダー２２１のサイズを調整する処理を説明する。図６は、表示制御部４がスライダー２２１のサイズを調整する処理を示す図である。図６に示すように、ステップＳ１〜ステップＳ９の処理が行われることで、スライダー２２１のサイズを調整できる。
【００５４】
ステップＳ１：検出部２１は、拡縮動作を検出する。処理は、ステップＳ３に進む。
【００５５】
ステップＳ３：表示制御部４は、拡縮動作に基づいて、スライダー２２１のサイズを調整する。
【００５６】
ステップＳ５：表示制御部４は、検出部２１がスクロール操作を検出したか否かを判定する。検出部２１がスクロール操作を検出しない場合（ステップＳ５においてＹｅｓ）、処理はステップＳ５に戻る。検出部２１がスクロール操作を検出した場合（ステップＳ５においてＮｏ）、処理はステップＳ７に進む。
【００５７】
ステップＳ７：表示制御部４は、スライダー２２１のサイズが調整されてから所定時間経過したか否かを判定する。所定時間経過した場合（ステップＳ７においてＹｅｓ）、処理は、ステップＳ７に戻る。所定時間経過していない場合（ステップＳ７においてＮｏ）、処理は、ステップＳ９に進む。
【００５８】
ステップＳ９：表示制御部４は、サイズが調整されたスライダー２２１を、サイズを調整される前のスライダー２２１のサイズに戻す。
【００５９】
この結果、スライダー２２１のサイズを調整できるので、スライダー２２１の操作が容易となる。また、検出部２１がスクロール操作を検出しない場合、スライダー２２１のサイズは調整される前のサイズに戻る。また、スライダー２２１のサイズを調整した後、所定時間経過した場合、スライダー２２１のサイズは調整される前のサイズに戻る。この結果、ユーザーが再びスライダー２２１のサイズを調整する必要がない。このため、ユーザーの利便性が向上する。
【００６０】
なお、ステップＳ５とステップＳ７とは、いずれか一方がスキップされてもよい。
【００６１】
本明細書において、ステップＳ１は、「検出ステップ」の例に相当する。ステップＳ３は、「調整ステップ」の例に相当する。
【００６２】
以上、図面（図１〜図６）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６３】
本発明は、表示制御装置、表示制御プログラム及び表示制御方法の分野に利用可能である。
【符号の説明】
【００６４】
２      タッチパネル部
４      表示制御部
２１    検出部
１００  表示制御装置
２２１  スライダー
２２２  スクロールバー
Ｓ１    ステップ（検出ステップ）
Ｓ３    ステップ（調整ステップ）
【図１】
2019160022.tif 000003
【図２】
2019160022.tif 000004
【図３】
2019160022.tif 000005
【図４】
2019160022.tif 000006
【図５】
2019160022.tif 000007
【図６】
2019160022.tif 000008